(57)【要約】      （修正有）【課題】  トイレにて利用できる紙を常設のロール状トイレットペーパーのみでなく、ポケットティッシュも一緒に常設できるホルダーを提供する。【解決手段】  従来のトイレットペーパーホルダーをカセット式にし、更にポケットティッシュを入れて使用するための入れ物をカセット式にして、それぞれのカセットを収納出来るトイレットペーパーホルダーを壁に固定し、その、トイレットペーパーホルダーにそれぞれのカセットを取り付けて利用する。  ポケットティッシュのカセットは、ポケットティッシュの取り出し口を斜め下の方向に開口しており、ポケットティッシュは、取り出し口方向に斜め下に向けて置くような構造になっており、更に、ポケットティッシュの後方から取り出し口の方向に押しつけて取り出し易くなっている。【選択図】  図１
2006187568.tif 000002
【特許請求の範囲】
【請求項１】
ポケットティッシュを使うことができることを特徴とするトイレットペーパーホルダー
【請求項２】
ポケットティッシュとロール状のトイレットペーパーの両方が同時に使うことができることを特徴とするトイレットペーパーホルダー
【請求項３】
ポケットティッシュはポケットティッシュホルダーに入れ、ロール状のトイレットペーパーはトイレットペーパーホルダーに取り付け、それぞれのホルダーがカセット式になっており、そのカセットをトイレットペーパーホルダー本体に取り付けることができることを特徴とするトイレットペーパーホルダー
【請求項４】
ポケットティッシュはポケットティッシュホルダーに入れ、ロール状のトイレットペーパーはトイレットペーパーホルダーに取り付けて、それぞれのカセットの取り付け位置をトイレットペーパーホルダー本体の上下のどちらにでも取り付けることができることを特徴とするトイレットペーパーホルダー
【請求項５】
ポケットティッシュ及びロール状のトイレットペーパーの取り付けが手元でできることを特徴とするトイレットペーパーホルダー
【発明の詳細な説明】
【技術分野】
【０００１】  この発明は、トイレットペーパーホルダーの形状に関する。
【背景技術】
【０００２】  従来のトイレットペーパーホルダーは、図９に示すようなロール状のトイレットペーパーのみを取り付けることのできるトイレットペーパーホルダーで、金属製の物や樹脂製の物があり、また、ロール状のトイレットペーパーを２つ取り付けたり、ロール状のトイレットペーパーに芯棒を入れて取り付ける物や芯棒を使わないでトイレットペーパーホルダーに取り付けられる物など様々あります。【０００３】  最近では、ロール状のトイレットペーパーを片手で切れるトイレットペーパーホルダーなどありますが、いずれの商品もロール状のトイレットペーパーのみを取り付けることのできるトイレットペーパーホルダーです。
【発明の開示】
【発明が解決しようとする課題】
【０００４】  しかしながら、以上の技術によれば、トイレにて排便・排尿後に使用するために常設してある紙は、ロール状のトイレットペーパーしか常設することが出来ない。【０００５】  ロール状のトイレットペーパー以外の紙を利用するには、ティッシュペーパーを箱ごとトイレに常設し、ティッシュペーパーを利用するか、ポケットティッシュを持って入って利用することになります。【０００６】  近年、ウォシュレットの普及が進み、ウォシュレットを使用していない時と比べ、トイレで使用する紙の量が少量でも事足りるようになり、ポケットティッシュのような少量で済むようになった。【０００７】  そこで、この発明は、トイレにて常設して利用できる紙をロール状のトイレットペーパーのみでなく、街角にて無料で配っているポケットティッシュも一緒に常設し、取り出し易く利用できることを提供することを課題とする。
【課題を解決するための手段】
【０００８】  以上の課題を解決するために、第一発明は、ポケットティッシュを使うことができることを特徴とするトイレットペーパーホルダーである。【０００９】  また、第二発明は、ポケットティッシュとロール状のトイレットペーパーの両方が同時に使うことができることを特徴とするトイレットペーパーホルダーである。【００１０】  また、第三発明は、ポケットティッシュはポケットティッシュホルダーに入れ、ロール状のトイレットペーパーはトイレットペーパーホルダーに取り付け、それぞれのホルダーがカセット式になっており、そのカセットをトイレットペーパーホルダー本体に取り付けることができることを特徴とするトイレットペーパーホルダーである。【００１１】  また、第四発明は、ポケットティッシュはポケットティッシュホルダーに入れ、ロール状のトイレットペーパーはトイレットペーパーホルダーに取り付けて、それぞれのカセットの取り付け位置をトイレットペーパーホルダー本体の上下のどちらにでも取り付けることができることを特徴とするトイレットペーパーホルダーである。【００１２】  また、第五発明は、ポケットティッシュ及びロール状のトイレットペーパーの取り付けが手元でできることを特徴とするトイレットペーパーホルダーである。
【発明の効果】
【００１３】  第一の発明は、街角で無料で配られているポケットティッシュを常設して使うことができることができる。【００１４】  第二の発明は、ポケットティッシュとトイレットペーパーの両方がトイレに同時に常設して使うことができるトイレットペーパーホルダーである。【００１５】  第三の発明は、ポケットティッシュはポケットティッシュホルダーに入れ、トイレットペーパーはトイレットペーパーホルダーに取り付け、それぞれカセット式になっており、そのカセットを簡単にトイレットペーパーホルダー本体に取り付けることが出来る。【００１６】  第四の発明は、ポットティッシュホルダーのカセット・トイレットペーパーホルダーのカセットがトイレットペーパーホルダー本体への取り付け形状が同じであるため、それぞれのカセットの取り付け位置を本体の上下のどちらにでも取り付けることができ、使用頻度や好みにあわせてそれぞれの位置を組み替えることができる。【００１７】  第五の発明は、ポケットティッシュのカセット及びトイレットペーパーのカセットを取り外し、手元にカセットを持ってきて、ポケットティッシュの組み込みやロール状のトイレットペーパーの取り付けが出来るため、ポケットティッシュやロール状のトイレットペーパーの取り付けが容易となる。
【発明を実施するための最良の形態】
【００１８】  この発明の一実施形態を、図１・図２・図３・図４・図５・図６・図７・図８に示す。【００１９】  図１は、Ａトイレットペーパーホルダー本体にＢポケットティッシュカセットとＣトイレットペーパーカセットを組み込んだ斜視図です。【００２０】  図２はトイレの壁に取り付けるＡトイレットペーパーホルダー本体の形状を表す第三角方の図です。【００２１】  このＡトイレットペーパーホルダー本体には、壁に取り付けるための▲１▼取り付け穴と▲２▼の凹状のガイドＢがＡトイレットペーパーホルダー本体左右の側板の内面にある構造です。【００２２】  図３は、▲５▼のポケットティッシュを入れるＢポケットティッシュカセットの形状を表す第三角方の図です。【００２３】  このＢポケットティッシュカセットには、▲３▼のふたがあり、▲４▼の支点を中心に▲３▼のふたが開閉できる構造になっている。【００２４】  ▲３▼のふたの内側には、▲９▼のポケットティッシュ押板とその▲９▼のポケットティッシュ押板に▲１８▼のポケットティッシュ押出板止め押さえが付いている。【００２５】  ▲７▼のポケットティッシュ取出口の開口部は、斜め下に引き出すことができるように斜め下に向けて開口している。【００２６】  ▲３▼のふたを開けると▲５▼のポケットティッシュは▲７▼のポケットティッシュ取出口の方が下になるよう斜めに傾斜した状態で収納でき、▲６▼のポケットティッシュ押出板で▲７▼のポケットティッシュ取出口の方向に、▲８▼のスプリングの力で▲５▼のポケットティッシュを押している。【００２７】  この傾斜は、▲５▼のポケットティッシュを使用する際に▲７▼のポケットティッシュ取出口より取り出しやすくするための傾斜です。【００２８】  ▲５▼のポケットティッシュの使用時にポケットティッシュが上の方向に持ち上がらないようにするため、▲３▼のふたの内側に▲９▼のポケットティッシュ押板で▲５▼のポケットティッシュ押さえている。【００２９】  側面の外側にある▲１０▼の凸状のガイドＡは、図２のＡトイレットペーパーホルダー本体の内側にある▲２▼の凹状のガイドＢにスライドさせてすべり込む構造になっている。【００３０】  更に、▲１０▼の凸状のガイドＡと▲２▼の凹状のガイドＢの高さ方向及び幅が同じ大きさであるため、スライドさせてすべり込むとふたが開くこうとしても開かない構造になっている。【００３１】  図４は、図３のＡーＡ”間の断面図と▲３▼のふたを開けた状態の拡大図です。【００３２】  ▲５▼のポケットティッシュを入れる時、▲６▼のポケットティッシュ押出板は▲７▼のポケットティッシュ取出板に▲８▼のスプリングの力で押しつけられている状態です。【００３３】  その状態で、▲５▼のポケットティッシュを入れるには、▲６▼のポケットティッシュ押出板を後方に開きながら▲５▼のポケットティッシュを並べなければならなくなり、▲６▼のポケットティッシュ押出板を押さえながらの作業はやり辛くなる。【００３４】  そこで、▲１４▼のポケットティッシュ押出板止め爪が付いた▲１５▼のポケットティッシュ押出板止めの、▲１４▼のポケットティッシュ押出板止め爪で▲６▼のポケットティッシュ押出板を引っかけて固定し、▲５▼のポケ��トティッシュを並べることができる。【００３５】  ▲５▼のポケットティッシュが無くなった状態で▲３▼のふたを開けると▲６▼のポケットティッシュ押出板は▲８▼のスプリングの力で▲７▼のポケットティッシュ取出口にくっついている。【００３６】  その状態で、▲１４▼のポケットティッシュ押出板止め爪の付いた▲１５▼のポケットティッシュ押出板止めは、▲１７▼の支点Ｂを中心にして▲１４▼のポケットティッシュ押出板止め爪の付いた前方部の方が重たいために、前方に傾こうとするが、▲１６▼の止め板の位置で止まった状態でそれ以上下に下がることはない。【００３７】  ▲６▼のポケットティッシュ押出板を▲８▼のスプリングの方向に引き上げると▲１４▼のポケットティッシュ押出板止め爪は、前方を斜めにカットしてあるため、自然と▲６▼のポケットティッシュ押出板で▲１４▼のポケットティッシュ押出板止め爪の前方の斜めのカット部分を持ち上げ、▲１４▼のポケットティッシュ押出板止め爪の位置より後方に▲６▼のポケットティッシュ押出板が来ると▲１５▼のポケットティッシュ押出板止めの自重で下方に下がり、▲１４▼のポケットティッシュ押出板止め爪に▲６▼のポケットティッシュ押出板が引っかかり▲７▼のポケットティッシュ取出口の方向に▲６▼のポケットティッシュ押出板が行かない状態となる。【００３８】  図５は、図３のＡーＡ”間の断面図と▲３▼のふたを閉じた状態の拡大図です。【００３９】  ▲５▼のポケットティッシュを入れて▲３▼のふたをすると、▲３▼のふたに付いている▲１８▼のポケットティッシュ押出板止め押さえが、▲１５▼ポケットティッシュ押出板止めの後部を押さえて、▲１４▼のポケットティッシュ押出板止め爪が上がり、▲６▼のポケットティッシュ押出板の押さえが無くなり、▲６▼のポケットティッシュ押出板は▲８▼のスプリングの力で▲７▼のポケットティッシュ取出口の方法に▲５▼のポケットティッシュを押し出すことになる。【００４０】  図６は、▲１３▼のロール状のトイレットペーパーを取り付けるＣトイレットペーパーカセットの形状を表す第三角方の図です。【００４１】  このＣトイレットペーパーカセットには、図３にあります▲１０▼の凸状ガイドＡと同じ▲１０▼の凸状のガイドＡがＣトイレットペーパーカセットの側面の外側にある。【００４２】  また、Ｃトイレットペーパーカセットの上部に▲１１▼トイレットペーパーカッターがあり、側面の内側には、トイレットペーパーの芯棒を受ける▲１２▼のトイレットペーパー軸受けがある。【００４３】  図７は、図２のＡトイレットペーパーホルダー本体に図３のＢポケットティッシュカセットを上部に取り付け、図６のＣのトイレットペーパーカセットを下部に取り付けた状態を表す正面図と側面です。【００４４】  図８は、図２のＡトイレットペーパーホルダー本体に図３のＢポケットティッシュカセットを下部に取り付け、図６のＣのトイレットペーパーカセットを上部に取り付けた状態を表す正面図と側面です。
【実施形態の効果】
【００４５】
【００４６】  この実施形態によれば、街角で無料で配られているポケットティッシュをトイレにてロール状のトイレットペーパーの代わりに利用することができ経済的である。
【００４７】  ポケットティッシュは、箱に入ったティッシュペーパーのように取り出し易くするために１枚目の終わりと次の紙の始めが重なっていないため、ポケットティッシュの後方から前方に押し出したり、ポケットティッシュを斜めに傾斜して置くなどの工夫が無くポケットティッシュを入れただけですと、ポケットティッシュを１枚出しても次のティッシュを段々出すことが困難となる。
【００４８】  そこで、ポケットティッシュのカセットにスプリングを組み込み、ポケットティッシュを出口方向に押すことにより、常にポケットティッシュが取出口に押しつけられ、取りやすくすることが可能となる。
【００４９】  更に、ポケットティッシュの取出口が斜め下に傾斜しているため、取出し易くなっている。
【００５０】  トイレットペーパーホルダー本体に各カセットをはめ込んで取り付ける構造ですので、ポケットティッシュが無い場合は、ポケットティッシュのカセットを外し、トイレットペーパーのみで利用することができ、また、その逆も可能である。
【００５１】  以上説明したように、この発明によれば、従来のトイレにて常設されて使用する紙は、ロール状のトイレットペーパーがほとんどでした。
【００５２】  本トイレットペーパーホルダーは、街角で無料で配布されているポケットティッシュをトイレで常設されて使用する紙として利用できるようになる。
【他の実施形態】
【００５３】  図７・図８の本実施形態では、ポケットティッシュのカセッとトイレットペーパーのカセットが上下に並んだデザインであったが、他の実施形態では、左右に設置して天板部の面積を大きくした形状のものでも良い。
【００５４】  また、使用しないカセットの代わりに棚になるような図１０のカセットを組み込めば棚として利用することができる。
【図面の簡単な説明】
【００５５】
【００５６】
【図１】  この発明の一実施形態を示すホルダー本体にポケットティッシュカセットとトイレットペーパーカセットを組み込んだ斜視図である。
【図２】  この発明の一実施形態を示すポケットティッシュカセットとトイレットペーパーカセットを入れ壁に取り付けるトイレットペーパーホルダー本体の第三角方の図である。
【図３】  この発明の一実施形態を示すポケットティッシュカセットの第三角方の図である。
【図４】  この発明の一実施形態を示すポケットティッシュカセットの上部断面図とポケットティッシュ押出板止め部とふたを開けた状態の拡大図である。
【図５】  この発明の一実施形態を示すポケットティッシュカセットの上部断面図とポケットティッシュ押出板止め部とふたを閉めた状態の拡大図である。
【図６】  この発明の一実施形態を示すトイレットペーパーカセットの第三角方の図である。
【図７】  この発明の一実施形態を示すポケットティッシュカセットを上部・トイレットペーパーカセットを下部に設置した正面図・側面図である。
【図８】  この発明の一実施形態を示すポケットティッシュカセットを下部・トイレットペーパーカセットを上部に設置した正面図・側面図である。
【図９】  従来技術を示す第三角方の図である。
【図１０】  他の実施形態を示す棚のカセットを表す第三角方の図である。
【符号の説明】
【００５７】  Ａ  トイレットペーパーホルダー本体
Ｂ  ポケットティッシュカセット
Ｃ  トイレットペーパーカセット
１  取り付け穴                      ２  ガイドＢ
３  ふた                            ４  支点
５  ポケットティッシュ              ６  ポケットティッシュ押出板
７  ポケットティッシュ取出口        ８  スプリング
９  ポケットティッシュ押板        １０  ガイドＡ
１１  トイレットペーパーカッター    １２  トイレットペーパー軸受け
１３  トイレットペーパー            １４  ポケットティッシュ押出板止め爪
１５  ポケットティッシュ押出板止め  １６  止め板
１７  支点Ｂ                        １８  ポケットティッシュ押出板止め押さえ
【図１】
2006187568.tif 000003
【図２】
2006187568.tif 000004
【図３】
2006187568.tif 000005
【図４】
2006187568.tif 000006
【図５】
2006187568.tif 000007
【図６】
2006187568.tif 000008
【図７】
2006187568.tif 000009
【図８】
2006187568.tif 000010
【図９】
2006187568.tif 000011
【図１０】
2006187568.tif 000012